(57)【特許請求の範囲】
【請求項１】
加熱調理用の加熱源と、前記加熱源への電力供給を制御する駆動素子制御回路と、機器の電源をオンオフ入力する電源スイッチと、前記電源スイッチの押下時ラッチ回路、前記電
源スイッチの離し時ラッチ回路、及びラッチ回路キャンセル制御回路を有し前記電源スイッチの開閉信号から電源のオンオフ状態を判別する電源オンオフ判別手段と、前記電源スイッチが閉時に前記制御回路へ電源供給をオンする第１の電源供給駆動素子と、前記電源オンオフ判別手段でオンと判別された場合に前記加熱源へ電源供給をオンする第２の電源供給駆動素子と、を備え、前記電源オンオフ判別手段は、前記電源スイッチの閉状態が所定時間以上継続した場合に電源オン状態と判別するとともに、前記電源オンオフ判別手段は、前記電源スイッチが閉判定に変化をして所定時間以内に開判定の変化を入力すると前記ラッチ回路キャンセル制御回路により前記離し時ラッチ回路の開判定及び前記押下時ラッチ回路の閉判定の出力状態を変化前に戻す加熱調理器。
【請求項２】
加熱調理用の加熱源と、前記加熱源への電力供給を制御する駆動素子制御回路と、機器の電源をオンオフ入力する電源スイッチと、マイクロコンピュータを有し前記電源スイッチの開閉信号から電源のオンオフ状態を判別する電源オンオフ判別手段と、前記電源スイッチが閉時に前記制御回路へ電源供給をオンする第１の電源供給駆動素子Ａと、前記電源スイッチが開時に前記制御回路へ電源供給をオンする第１の電源供給駆動素子Ｂと、前記電源オンオフ判別手段でオンと判別された場合に前記加熱源へ電源供給をオンする第２の電源供給駆動素子と、を備え、前記電源オンオフ判別手段は、前記電源スイッチの閉状態が所定時間以上継続した場合には、電源オン状態と判別して、前記第１の電源供給駆動素子Ａ及び前記第１の電源供給駆動素子Ｂはオンの状態を保持して前記制御回路への電源供給を保持し、前記所定時間未満の場合には、電源オフ状態と判別して、前記第１の電源供給駆動素子Ａはオフにし前記第１の電源供給駆動素子Ｂはオンして前記制御回路への電源供給を保持するとともに、前記所定時間をテーブルの設定値と比較し、前記テーブルは、初回の電源投入時の前記マイクロコンピュータのタイムラグを含む第１のテーブルと２回目以降の電源投入後の第２のテーブルを設けることで、前記所定時間の均一化を図る加熱調理器。
【発明の詳細な説明】
【技術分野】
【０００１】
本発明は、一般家庭および業務用として使用される加熱調理器に関するもので、特に、電源スイッチの反応時間を設定できるようにしたものである。
【背景技術】
【０００２】
従来の加熱調理器において、電源スイッチを切り忘れた場合でも、待機電力を削減するとともに、加熱源への電力供給の遮断を確実に行うことができる加熱調理器の開示はあるが、電源反応時間を記載している事例はない（例えば、特許文献１参照）。
【０００３】
ただ、類似で天面タッチスイッチの検知時間を自在に切り替えることで、天面上に操作スイッチを配した機器の使い勝手を向上する加熱調理器が開示されている（例えば、特許文献２参照）。
【先行技術文献】
【特許文献】
【０００４】
【特許文献１】特開２００７−１９４０９９号公報
【特許文献２】特開２００７−２３４２７９号公報
【発明の概要】
【発明が解決しようとする課題】
【０００５】
しかしながら、近年加熱調理器の電源スイッチは待機電力、オートパワーオフ、タイマーオフなどの省エネから自動で電源が切りになる制御を有した調理器が増えている。従って、ロッカースイッチのようなメカ式スイッチからタクトスイッチ、タッチスイッチのような電気式なスイッチが主流になりつつある。
【０００６】
キッチンに設置された加熱調理器は、電源スイッチの設置場所が丁度使用者の腰の位置や身体が触れる場所にあり、使用者が無意識で電源スイッチに触れて電源が供給されてしまう可能性があり、また小さな子供が不用意に電源スイッチを押して電源が供給されてしまうという課題を有していた。
【０００７】
本発明は、前記従来の課題を解決するもので、ロッカースイッチのようなメカ式スイッチからタクトスイッチ、タッチスイッチのような電気式なスイッチを搭載したものにおいて、使用者が無意識で電源スイッチに触れて電源が入りになる可能性を軽減させるとした加熱調理器を提供することを目的とする。
【課題を解決するための手段】
【０００８】
前記従来の課題を解決するために、本発明の加熱調理器は、加熱調理用の加熱源と、前記加熱源への電力供給を制御する駆動素子制御回路と、機器の電源をオンオフ入力する電源スイッチと、前記電源スイッチの押下時ラッチ回路、前記電源スイッチの離し時ラッチ回路、及びラッチ回路キャンセル制御回路を有し前記電源スイッチの開閉信号から電源のオンオフ状態を判別する電源オンオフ判別手段と、前記電源スイッチが閉時に前記制御回路へ電源供給をオンする第１の電源供給駆動素子と、前記電源オンオフ判別手段でオンと判別された場合に前記加熱源へ電源供給をオンする第２の電源供給駆動素子と、を備え、前記電源オンオフ判別手段は、前記電源スイッチの閉状態が所定時間以上継続した場合に電源オン状態と判別するとともに、前記電源オンオフ判別手段は、前記電源スイッチが閉判定に変化をして所定時間以内に開判定の変化を入力すると前記ラッチ回路キャンセル制御回路により前記離し時ラッチ回路の開判定及び前記押下時ラッチ回路の閉判定の出力状態を変化前に戻すことができるとしたものである。
【０００９】
これによって、電源スイッチのオンオフに一定の所定時間を設けることで安全性を向上することができる。また、電源オンオフ判別手段をマイクロコンピュータで構成した場合は、所定時間のばらつきが少なく精度が向上できる。また、電源オンオフ判別手段の所定時間が所定時間内の場合、制御回路は電源スイッチオンを無効と判断し、ラッチ回路キャンセル制御回路により、開判定、閉判定を変化前の状態に戻す。電源オンオフ判別手段の制御回路とマイクロコンピュータの開閉の信号が逆転することがあり、ラッチ回路キャンセル制御回路により、整合性をもたせることができ、誤検知を削減できる。
【発明の効果】
【００１０】
本発明の加熱調理器は、電源スイッチの開閉信号入力を電源オンオフ判別手段の所定時間を自由に設定できるため、使用者の無意識での誤検知を防ぎ、設定によってはチャイルドロックに近い制御を行うことができる。また、電源スイッチオフの反応時間は瞬時に切れるように設定しているので、調理中の緊急停止などの安全性にも優れている。また、電源オンオフ判別手段の所定時間が所定時間内の場合、制御回路は電源スイッチオンを無効と判断し、ラッチ回路キャンセル制御回路により、開判定、閉判定を変化前の状態に戻す。電源オンオフ判別手段の制御回路とマイクロコンピュータの開閉の信号が逆転することがあり、ラッチ回路キャンセル制御回路により、整合性をもたせることができ、誤検知を削減できる。
【図面の簡単な説明】
【００１１】
【図１】本発明の実施の形態１における加熱調理器の回路構成を示すブロック図
【図２】本発明の実施の形態１における加熱調理器のマイクロコンピュータプログラムフローチャート
【図３】本発明の実施の形態１における加熱調理器の電源スイッチラッチ検知回路のレベル図
【発明を実施するための形態】
【００１２】
第１の発明は、加熱調理用の加熱源と、前記加熱源への電力供給を制御する駆動素子制御回路と、機器の電源をオンオフ入力する電源スイッチと、前記電源スイッチの押下時ラッチ回路、前記電源スイッチの離し時ラッチ回路、及びラッチ回路キャンセル制御回路を有し前記電源スイッチの開閉信号から電源のオンオフ状態を判別する電源オンオフ判別手段と、前記電源スイッチが閉時に前記制御回路へ電源供給をオンする第１の電源供給駆動素子と、前記電源オンオフ判別手段でオンと判別された場合に前記加熱源へ電源供給をオンする第２の電源供給駆動素子と、を備え、前記電源オンオフ判別手段は、前記電源スイッチの閉状態が所定時間以上継続した場合に電源オン状態と判別するとともに、前記電源オンオフ判別手段は、前記電源スイッチが閉判定に変化をして所定時間以内に開判定の変化を入力すると前記ラッチ回路キャンセル制御回路により前記離し時ラッチ回路の開判定及び前記押下時ラッチ回路の閉判定の出力状態を変化前に戻すことができるとすることにより、電源スイッチのオンオフに一定の所定時間を設けることで安全性を向上することができる。また、電源オンオフ判別手段をマイクロコンピュータで構成した場合は、所定時間のばらつきが少なく精度が向上できる。また、電源オンオフ判別手段の所定時間が所定時間内の場合、制御回路は電源スイッチオンを無効と判断し、ラッチ回路キャンセル制御回路により、開判定、閉判定を変化前の状態に戻す。電源オンオフ判別手段の制御回路とマイクロコンピュータの開閉の信号が逆転することがあり、ラッチ回路キャンセル制御回路により、整合性をもたせることができ、誤検知を削減できる。
【００１８】
第２の発明は、加熱調理用の加熱源と、前記加熱源への電力供給を制御する駆動素子制御回路と、機器の電源をオンオフ入力する電源スイッチと、マイクロコンピュータを有し前記電源スイッチの開閉信号から電源のオンオフ状態を判別する電源オンオフ判別手段と、前記電源スイッチが閉時に前記制御回路へ電源供給をオンする第１の電源供給駆動素子Ａと、前記電源スイッチが開時に前記制御回路へ電源供給をオンする第１の電源供給駆動素子Ｂと、前記電源オンオフ判別手段でオンと判別された場合に前記加熱源へ電源供給をオンする第２の電源供給駆動素子と、を備え、前記電源オンオフ判別手段は、前記電源スイッチの閉状態が所定時間以上継続した場合には、電源オン状態と判別して、前記第１の電源供給駆動素子Ａ及び前記第１の電源供給駆動素子Ｂはオンの状態を保持して前記制御回路への電源供給を保持し、前記所定時間未満の場合には、電源オフ状態と判別して、前記第１の電源供給駆動素子Ａはオフにし前記第１の電源供給駆動素子Ｂはオンして前記制御回路への電源供給を保持するとともに、前記所定時間をテーブルの設定値と比較し、前記テーブルは、初回の電源投入時の前記マイクロコンピュータのタイムラグを含む第１のテーブルと２回目以降の電源投入後の第２のテーブルを設けることで、前記所定時間の均一化を図るとすることにより、電源投入時１回目では電源回路の電源立ち上がりに時間を要する影響で、マイクロコンピュータのリセット解除電源までにタイムラグが発生する。一度電源投入した後は電源回路、制御回路には電源が供給させていて、マイクロコンピュータもリセットが解除させているためタイムラグが発生せず、電源オンオフ判別手段の所定時間はマイクロコンピュータが設定した通りの反応を行う。この所定時間のタイムラグを少なくするために、マイクロコンピュータのリセット解除前と解除後で前記電源スイッチ反応時間テーブルを分け、均一な所定時間を設定することができ精度が向上する。
【００１９】
以下、本発明の実施の形態について、図面を参照しながら説明する。なお、この実施の形態によって本発明が限定されるものではない。
【００２０】
（実施の形態１）
図１は、本発明の実施の形態１における加熱調理器の回路構成を示すものである。
【００２１】
図に示すように、商用電源２には電源スイッチ１、駆動素子Ａ３ａ、駆動素子Ｂ３ｂ、駆動素子Ｃ４、および電源スイッチ１を通してフォトセンサ８が接続されている。電源スイッチ１は、電源回路５、制御回路９および加熱コイル（加熱源）６、ヒーター（加熱源）７への電力供給をオンオフするもので、手動でオンオフ可能とするとともに、電源スイッチ１のオン所定時間９ｅの設定が可能な電源オンオフ判別手段９ｇにマイクロコンピュータ９ｄを搭載して制御している。また、駆動素子Ａ（第１の電源供給駆動素子）３ａは電源起動用手段で、駆動素子Ｂ（第１の電源供給駆動素子）３ｂは電源保持用手段である。
【００２２】
以上のように構成された加熱調理器について、以下その動作作用を説明する。
電源スイッチ１を閉にしている状態で駆動素子Ａ３ａがオンし電源回路５と制御回路９に電源を供給し、電源スイッチ１を開にした瞬間に駆動素子Ｂ３ｂを駆動素子制御回路９ｈのマイクロコンピュータ９ｄがオンさせ電源回路５と制御回路９の電源を保持し、駆動素子Ａ３ａはオフする。電源スイッチ１の閉の電圧変化をマイクロコンピュータ９ｄで検知し、閉時にラッチ検知回路Ａ９ａを保持させ、電源スイッチ１を開にしたときにラッチ検知回路Ｂ９ｂを保持させる。電源スイッチ１を開にしたときにラッチ検知回路Ｂ９ｂのレベル変化から駆動素子Ｃ（第２の電源供給駆動素子）４のオンし加熱源６、７への電源供給が保持される。電源スイッチ１のオン所定時間９ｅについては、電源スイッチ１を閉から開にしたときまでの時間をマイクロコンピュータ９ｄで読み取り、設定された所定時間９ｅと比較し所定時間以上であれば電源供給を保持させる。所定時間９ｅ未満の場合はラッチ検知回路Ａ９ａ、ラッチ検知回路Ｂ９ｂ、及びラッチ回路キャンセル制御回路９ｃを駆動させ、電源スイッチ１を切りの状態にして、制御回路９のマイクロコンピュータ９ｄから通信により、ＬＣＤ制御回路１１の表示を消灯、電源スイッチ１以外のキー操作制御回路１２の操作を無効にする。ただし駆動素子Ｂ３ｂはオンの状態を保持させる。
【００２３】
以上のように、本実施の形態においては、電源オンオフ判別手段９ｇは、電源スイッチ
１の閉状態が所定時間以上継続した場合に電源オン状態と判別することができるとすることにより、電源スイッチ１のオンオフに一定の所定時間９ｅを設けることで安全性を向上することができる。また、電源オンオフ判別手段９ｇをマイクロコンピュータ９ｄで構成したので、所定時間９ｅのばらつきが少なく精度が向上できる。
【００２４】
また、電源オンオフ判別手段９ｇは、電源スイッチ１の開から閉信号入力毎に反転する閉判定判別ができるとすることにより、電源スイッチ１の構成が電気式のタクトスイッチでもパルス動作ではなくＤＣで保持できるため、加熱源や制御回路への電源供給駆動素子のオン状態に保つことができ、電源スイッチ１のオフと判定したときは、ハードで電源供給駆動素子をオフすることができるので、マイクロコンピュータ９ｄと併用制御ができ、安全性、制御の精度が向上する。
【００２５】
また、電源スイッチオン反応時間が設定外の場合は、表示を消灯のまま保持させ、操作関係のキー受付を無効にし、加熱調理器の加熱源への電力供給をできないようにすることができ、安全性が向上できる。
【００２６】
さらに、図１、３から、ラッチ検知回路Ａ９ａ、ラッチ検知回路Ｂ９ｂ、及びラッチキャンセル回路９ｃのレベル変化を例に挙げて説明する。電源スイッチ１のオン有効時は、ラッチ検知回路Ａ９ａのＬ出力をマイクロコンピュータ９ｄで受付けてから電源オンオフ判別手段の所定時間９ｅの設定時間をカウントしラッチ検出回路Ｂ９ｂのＬ出力までの時間と比較を行う。設定時間９ｅより長かった場合は電源スイッチ１のオンを有効とし、ラッチキャンセル回路９ｃはＬ出力を維持する。逆に設定時間９ｅより短かった場合は電源スイッチ１のオンを無効とし、ラッチキャンセル回路９ｃをＨ出力に切り替え、ラッチ検知回路Ａ９ａ、ラッチ検知回路Ｂ９ｂをイニシャルのＨレベルに切り替える。通常ラッチ検知回路Ａ９ａ、ラッチ検知回路Ｂ９ｂは一度Ｌレベルに切り替わると回路がラッチするため、Ｌレベルを維持してしまうのだが、半導体駆動素子で回路構成を行っているためハードの切り替わり反応時間が数ｍｓと速く、電源オンオフ判別手段９ｇの所定時間９ｅの設定よりも極めて短いため、マイクロコンピュータ９ｄでは電源スイッチオン無効と判断しても、ハードのレベルがＬレベルを維持する状態が発生する。これを防ぐためにラッチ回路キャンセル制御回路９ｃでイニシャルレベルに戻す制御をおこなっている。
【００２７】
また、所定時間９ｅはマイクロコンピュータ９ｄで容易に設定変更が可能で変更内容を記憶素子制御回路に記憶させることができる。
【００２８】
また、図２から、マイクロコンピュータリセット解除時の所定時間９ｅは、テーブル１の設定値と比較し長ければ電源供給を保持させ短かった場合はラッチ検知回路Ａ９ａ、ラッチ検知回路Ｂ９ｂ、及びラッチ回路キャンセル制御回路９ｃを駆動させイニシャルに戻す。さらにマイクロコンピュータリセット解除後の所定時間９ｅは、テーブル２の設定値と比較し、長ければ電源供給を保持させ短かった場合はラッチ検知回路Ａ９ａ、ラッチ検知回路Ｂ９ｂ、及びラッチ回路キャンセル制御回路９ｃを駆動させイニシャルに戻す。マイクロコンピュータリセット解除までの時間とプログラムが走りだすまでのタイムラグをあらかじめ把握し、テーブル１、２の設定値との比較により所定時間９ｅが均一になるよう調整をすることができる。
【産業上の利用可能性】
【００２９】
以上のように、本発明にかかる加熱調理器は、電源スイッチの反応時間により無意識の接触による電源の入りを防ぐため、小さな子供のいる家庭や、福祉、養護施設など不用意に電源が入るのを防ぎたい場所などに使用する加熱調理器等の用途に適用できる。
【符号の説明】
【００３０】
１  電源スイッチ
２  商用電源
３ａ  駆動素子Ａ（第１の電源供給駆動素子）
３ｂ  駆動素子Ｂ（第１の電源供給駆動素子）
４  駆動素子Ｃ（第２の電源供給駆動素子）
５  電源回路
６  加熱コイル（加熱源）
７  ヒーター（加熱源）
８  フォトセンサ
９  制御回路
９ａ  ラッチ検知回路Ａ（電源スイッチ押下時）
９ｂ  ラッチ検知回路Ｂ（電源スイッチ離し時）
９ｃ  ラッチ回路のキャンセル回路
９ｄ  マイクロコンピュータ
９ｅ  電源スイッチ所定時間
９ｈ  駆動素子制御回路
９ｇ  電源オンオフ判別手段
１１  ＬＣＤ制御回路
１２  キー操作制御回路
【図１】
0005493505.tif 000002
【図２】
0005493505.tif 000003
【図３】
0005493505.tif 000004